(57)【要約】      （修正有）【課題】使用状態と収納状態との切換え作業の容易性・迅速性の向上を図るとともに、コンパクトに収納できる抱っこ紐を提供する。【解決手段】抱っこ紐は、本体部１と、収納袋２とを一体に備え、本体部は、背あて１ａと、尻あて１ｂと、肩ベルト１ｃと、腰ベルト１ｄとを一体に備え、収納袋は、尻あて側に開口部２ａを有して尻あて直下の腰ベルトの表側に配置されている。腰ベルトの着用状態においては、腰ベルトを除く本体部を開口部に向かって折り畳んで、収納袋に収納し、腰ベルトを外した状態においては、開口部が腰ベルトの裏側に移動するように収納袋の内側と外側を裏返すと共に、本体部を開口部方向へ折畳みながら収納部に収納する。【選択図】図２
0003222666.tif 000002
【実用新案登録請求の範囲】
【請求項１】
本体部と、収納袋とを一体に備え、本体部は、背あてと、尻あてと、肩ベルトと、腰ベルトとを一体に備え、収納袋は、尻あて側に開口部を有して尻あて直下の腰ベルトの表側に配置され、腰ベルトの着用状態においては、腰ベルトを除く本体部を開口部に向かって折り畳んで、開口部から収納袋に収納し、腰ベルトを外した状態においては、開口部が腰ベルトの裏側に移動するように収納袋の内側と外側を裏返すと共に、本体部を開口部方向へ折畳みながら開口部から収納部に収納するようにされていることを特徴とする抱っこ紐。
【請求項２】
収納袋の折り畳み状態を保持する保持部を備え、保持部は、係合部および被係合部が備えられており、係合部と被係合部の一方を本体側に設け、他方を収納袋側に設けていることを特徴とする請求項１に記載の抱っこ紐。
【請求項３】
本体部の収納時における収納部の手持ち用の掴持部を備えていることを特徴とする請求項１又は２に記載の抱っこ紐。
【請求項４】
係合部と被係合部の一方を掴持部側に備え、他方を本体部側に備えていることを特徴とする請求項３に記載の抱っこ紐。
【考案の詳細な説明】
【技術分野】
【０００１】
本考案は、抱っこ紐に関する。
【背景技術】
【０００２】
抱っこ紐は、下記特許文献１に記載されているように、抱っこ紐の本体を収納する収納カバーを着脱自在に備えたものが知られている。この抱っこ紐は、本体の背あての下端に垂れ下がるように、左右の腰ベルトにそれぞれ挿通して装着し、本体の未使用時には、腰ベルトを腰につけたまま、本体を折り畳んで収納カバーに収納できるようになっている。
【先行技術文献】
【特許文献】
【０００３】
【特許文献１】特開２０１９−３７６１２公報
【考案の概要】
【考案が解決しようとする課題】
【０００４】
しかしながら、特許文献１に記載の従来の抱っこ紐は、収納カバーの着脱が左右の腰ベルトにそれぞれ挿通および抜取ることで行うため、この着脱作業が煩わしいと共に、外出時に収納カバーを着け忘れてしまう等の問題があった。また、収納状態でバッグに入れて持ち歩く場合に、収納カバーから露出した腰ベルトがバッグ内で嵩張ったり邪魔になったりしてしまい、バッグ内の他の物の取出しや収納が行い難くなってしまうという問題があった。
【０００５】
収納カバーに腰ベルトも収納するには、腰ベルトを収納カバーから抜取り、腰ベルトごと本体を折り畳んで収納カバーに収納し、再び抱っこ紐として使用する場合には、収納カバーを腰ベルトに取付けるという前述した煩わしい作業が必要である。
【０００６】
このため、現在では、抱っこ紐の使用状態と収納状態との切換え作業の容易性・迅速性が向上し、コンパクトな収納状態にできる抱っこ紐が求められている。
【課題を解決するための手段】
【０００７】
前述の課題を解決するために本考案の抱っこ紐は、本体部と、収納袋とを一体に備え、本体部は、背あてと、尻あてと、肩ベルトと、腰ベルトとを一体に備え、収納袋は、尻あて側に開口部を有して尻あて直下の腰ベルトの表側に配置され、腰ベルトの着用状態においては、腰ベルトを除く本体部を開口部に向かって折り畳んで、開口部から収納袋に収納し、腰ベルトを外した状態においては、開口部が腰ベルトの裏側に移動するように収納袋の内側と外側を裏返すと共に、本体部を開口部方向へ折畳みながら開口部から収納部に収納するようにされていることを特徴とする。
【０００８】
また、抱っこ紐は、収納袋の折り畳み状態を保持する保持部を備え、保持部は、係合部および被係合部が備えられており、係合部と被係合部の一方を本体側に設け、他方を収納袋側に設けていることが好ましい。
【０００９】
また、抱っこ紐は、本体部の収納時における手持ち用の掴持部を備えていることが好ましい。
【００１０】
また、抱っこ紐は、係合部と被係合部の一方を掴持部側に備え、他方を本体部側に備えていることが好ましい。
【図面の簡単な説明】
【００１１】
【図１】本考案に係る実施形態の抱っこ紐の使用状態図である。
【図２】図１の（２）-（２）線断面図である。
【図３】着用状態において本体部を収納袋に収納した状態の正面図である。
【図４】図３の（４）-（４）線断面図である。
【図５】非着用状態において本体部を収納袋に収納した状態の正面図である。
【図６】非着用状態において本体部を収納袋に収納する工程を説明する工程図であり、（ａ）は、第１工程を示す概略中央縦断面図、（ｂ）は、第２工程を示す概略中央縦断面図である。
【考案を実施するための形態】
【００１２】
以下、本考案に係る実施形態の抱っこ紐Ａを図１〜図６を参照して説明する。
【００１３】
抱っこ紐Ａは、図１および図２に示すように、着用者Ｂの前方(胸側)で乳幼児Ｃを抱きかかえるように着用するものである。抱っこ紐Ａは、背あて１ａと、尻あて１ｂと、肩ベルト１ｃと、腰ベルト１ｄとを一体に備えた本体部１と、尻あて１ｂ直下の腰ベルト１ｄの表側に配置された収納袋２と、図３および図４に示すように、収納袋２の折畳み状態を保持する保持部３と、図５に示すように、本体部１が収納された収納袋２の手持ち用の掴持部４と備えている。
【００１４】
本体部１は、折畳み自在な柔軟性を有しており、図３〜図５に示すように、本体部１を折り畳んで収納袋２に収納することができるようにされている。本体部１は、図３および図４に示すように、腰ベルト１ｄの着用状態において、この腰ベルト１ｄを除く本体部１を折り畳んで収納袋２に収納することで、抱っこ紐Ａをウエストポーチのように着用できる。また、本体部１は、図５に示すように、抱っこ紐Ａの非着用状態において、本体部１の全部を折り畳んで収納袋２に収納することができる。
【００１５】
収納袋２は、図１および図２に示すように、尻あて１ｂ側(上側)に開口部２ａを有して、尻あて１ｂ直下の腰ベルト１ｄの表側に垂れ下がるように配置されている。開口部２ａは、縫い込まれたゴム(図示せず)によって、閉塞・拡開自在にされており、前述したゴムの付勢力によって開口部２ａの閉塞状態が保持され、ゴムの付勢力に抗して伸長させることで開口部２ａを拡開することができる。また、図３および図４に示すように、本体部１の収納時においては、ゴムの付勢力によって開口部２ａの閉塞状態を保持するようにされ、これにより、本体部１の収納状態を保持することができる。
【００１６】
保持部３は、係合部３ａと被係合部３ｂとを一対としてなるものであり、図２に示すように、係合部３ａと被係合部３ｂとの係脱によって、収納袋２の折畳み状態の保持・保持解除を行う。本実施形態の保持部３は、凹凸係合のホックであり、凸側とする係合部３ａが掴持部４に設けられ、凹側とする被係合部３ｂが収納袋２に設けられており、収納袋２を折り畳んだときに係合部３ａを被係合部３ｂに係合することで、収納袋２の折畳み状態を保持することができる。保持部３の形態は、前述の凹凸係合のホックに限らず、面状テープ等、一方側が他方側に係合することで一体化されるものであればよい。
【００１７】
掴持部４は、図１および図２に示すように、尻あて１ｂ側(上側)に開口部２ａを有して、尻あて１ｂ直下の腰ベルト１ｄの表側、且つ収納袋２の開口部２ａの上方に配置されている。掴持部４は帯状を呈し、両端を腰ベルト１ｄに固着することでＵ字を呈するように形成されている。また、掴持部４は、その曲がり部分の頂点に係合部３ａが取付けられており、図３および図４に示すように、収納袋２が折り畳まれた状態で収納袋２に設けられた被係合部３ｂに係合部を係合させることができる長さとなるように形成されている。また、掴持部４は、図５に示すように、収納袋２に本体部１を収納した状態において、収納袋２の外側に露出するようにされており、露出した掴持部４を手で持ったり、乳母車に引っ掛けたりして持ち歩くことができる。
【００１８】
次に、抱っこ紐Ａの各種機能について説明する。抱っこ紐Ａは、図１および図２に示すように、抱っこ紐Ａを着用して乳幼児Ｃを抱きかかえる場合には、収納袋２を折り畳み、折り畳んだ状態を保持部３によって保持することができる。これによって、乳幼児Ｃを抱きかかえた状態で抱っこ紐Ａを着用したときに、収納袋２の垂れ下がりを防止してすっきりとした外観にすることができる。また、乳幼児Ｃを抱きかかえる状態において、収納袋２を折り畳まずに垂れ下げるようにした場合には、収納袋２を小物入れとしても使用できる。
【００１９】
また、抱っこ紐Ａは、図３および図４に示すように、乳幼児Ｃを乳母車に載せて移動する場合には、腰ベルト１ｄをしたままで、この腰ベルト１ｄを除く本体部１を前方、かつ開口部２ａ方向に折り畳んで、開口部２ａから収納袋２に収納することで、抱っこ紐Ａをウエストポーチのように着用ことができる。これによって、取り外してバッグ内にしまうと嵩張ってしまう抱っこ紐Ａを腰につけたまま移動することができる。
【００２０】
また、抱っこ紐Ａは、図５に示すように、抱っこ紐Ａの非着用状態において、本体部１の全部を折り畳んで開口部２ａから収納袋２に収納することができるので、持ち運ぶときに嵩張る抱っこ紐Ａをコンパクトにまとめることができると共に、掴持部４を持って持ち歩くことができ、しかも、乳母車に引っ掛けることもできる。これによって、非着用状態時に嵩張る抱っこ紐Ａを持ち運びやすくすることができる。
【００２１】
本体部１を収納袋２に収納するには、図６(ａ)および(ｂ)に示す工程によって行うことができる。先ず、第１工程として、図６(ａ)に示すように、開口部２ａが腰ベルト１ｄの裏側に移動するように、収納袋２の内側と外側を裏返すと共に、本体部１を開口部に向かうように折畳む。このとき、本体部１の折畳み状態が収納袋２に入れやすいように、できるだけ小さく折り畳むとよい。次に、第２工程として、図６(ｂ)に示すように、腰ベルト１ｄの裏側に移動した開口部２ａに向けて折り畳まれた本体部１を押し込むことで抱っこ紐Ａを収納状態にすることができる。本体部１を収納袋２から出して抱っこ紐Ａを着用する場合には、開口部２ａから本体部１を引き出して拡げると共に、開口部２ａが腰ベルト１ｄの表側に移動するように、裏返っていた収納袋２を元に戻すように表返すことによって、抱っこ紐Ａを着用可能な状態にすることができる。
【００２２】
以上のように本実施形態の抱っこ紐Ａは、抱っこ紐Ａの着用状態 (使用状態)と収納状態との切換え作業の容易性・迅速性が向上し、収納状態においてコンパクトにすることができる。
【００２３】
本考案における抱っこ紐Ａは、保持部３および／又は掴持部４を備えていない形態も含まれ、このような抱っこ紐Ａによっても、抱っこ紐Ａの着用状態 (使用状態)と収納状態との切換え作業の容易性・迅速性が向上し、収納状態においてコンパクトにすることができる。
【００２４】
以上、本考案に係る実施形態の抱っこ紐Ａを、図面を参照して詳述してきたが、具体的な構成は、これらの実施の形態に限られるものではなく、本発明の要旨を逸脱しない範囲の設計の変更等があっても本発明に含まれる。
【００２５】
また、前述の各実施形態は、その目的および構成等に特に矛盾や問題がない限り、互いの技術を流用して組み合わせることが可能である。
なお、本考案は、例示した実施の形態に限定するものでは無く、実用新案登録請求の範囲の各項に記載された内容から逸脱しない範囲の構成による実施が可能である。
【符号の説明】
【００２６】
Ａ：抱っこ紐
１：本体部
２：収納袋
１ａ：背あて
１ｂ：尻あて
１ｃ：肩ベルト
１ｄ：腰ベルト
２ａ：開口部
３：保持部
３ａ：係合部
３ｂ：被係合部
４：掴持部
【図１】
0003222666.tif 000003
【図２】
0003222666.tif 000004
【図３】
0003222666.tif 000005
【図４】
0003222666.tif 000006
【図５】
0003222666.tif 000007
【図６】
0003222666.tif 000008